(57)【特許請求の範囲】
【請求項１】
地下構造物内の溜水を地下構造物外に排出する地下構造物の排水装置において、
記地下構造物の側壁に穿設された貫通孔に嵌設され、開口端部を地下構造物の外部に向けて横方向に配設される横管部と、
前記横管部と内部連通状に連続され、開口端部を地下構造物の下方に向けて縦方向に配設される縦管部と、
前記縦管部の開口端部に設けられ、該開口端部を閉止するとともに、地下構造物内の溜水の水位が上昇すると該開口端部を開放する逆止弁機構と、
前記横管部の開口端部に配設される水の濾過部材と、
を具備してなることを特徴とする地下構造物の排水装置。
【請求項２】
前記逆止弁機構は、
前記縦管部の外部空間と内部空間とを連通する流入孔が穿設された弁座部と、
前記弁座部の流入孔に上下移動可能に挿通されるガイド部と、
前記ガイド部の前記縦管部内へ突出する側の端部に設けられる弁部と、を有し、
前記弁座部に前記弁部が当接して前記流入孔が閉止され、前記ガイド部と連動して前記弁部が上動することで、前記弁座部より前記弁部が離間して前記流入孔が開放される請求項１に記載の地下構造物の排水装置。
【請求項３】
前記ガイド部は、一部又は全部が浮力部材より形成される請求項２に記載の地下構造物の排水装置。
【発明の詳細な説明】
【技術分野】
【０００１】
本発明は、地下構造物の排水装置の技術に関し、より詳細には、地下構造物内の溜水を地下構造物外に排出する地下構造物の排水装置に関する。
【背景技術】
【０００２】
従来、動力用、通信用等のための各種の配線類を地中に埋設させる方法として、管路式、暗渠式、及び直接埋設式などの方法が採用されている。通常、かかる方法では、配線類を通線させる共同構としての開渠や管渠、配線類を分岐・集約させる地下埋設ボックス、及び地下埋設ボックス内にて配線類の引入れ・引抜き・接続の作業をするために作業員が地上から出入りするための人孔（マンホール）などの地下構造物が地中に埋設される。
【０００３】
上述した地下構造物においては、設置位置が水位より低い場合には地表面から地下構造物内に水が流入して内部に水が貯留し、特に、大雨が降った時など短時間の内に大量の雨水が地下構造物内に流入すると、やがて地下構造物内の溜水が地表面の道路や歩道上に流れ出て（オーバーフロー）しまうことがあった。また、上述した地下構造物としての地下埋設ボックス内では、定期的な点検や配線類の引き換えや増線等のために作業者がマンホールより入坑して作業が行われるが、地下構造物内に所定水位以上の溜水があるとかかる作業が困難であった。
【０００４】
現状では、上述した事態が発生する度に、排水用ポンプや発電機等の排水作業に必要な機械や器具等を現場に持って行き、地下構造物内の溜水を機外に排水する作業が行われている。しかしながら、かかる排水作業においては、排水に必要な機械や器具等の搬入作業や、作業に要する人員配備や、作業者に対する安全・衛生面での担保措置などを要するため、排水作業の作業能率の向上や労務コストの改善という観点から、新たな地下構造物内溜水の排水構造や排水装置の提案が希求されているところである。
【０００５】
上述したような現状に鑑みて、これまでにも地下構造物内溜水の排水構造や排水装置に関し、例えば、特許文献１に開示されるように内壁に地下構造物（排水用構造物）の内部空間と外部空間とを連通する排水孔が穿設された地下構造物の構造や、特許文献２に開示されるように地下構造物内に予め設置しておく排水装置として、機外へと延出される管部材に接続されるダイヤフラムポンプを有する装置などが提案されているところである。
【先行技術文献】
【特許文献】
【０００６】
【特許文献１】特開２０００−３０３５４６号公報
【特許文献２】特開２００２−３３５６１１号公報
【発明の概要】
【発明が解決しようとする課題】
【０００７】
しかしながら、上述した特許文献１に開示される排水構造は、地下構造物（排水用構造物）の側壁に貫通形成された排水孔により地下構造物内の溜水を機外の路床中に排水するものであるが、かかる構造では、側壁に孔が穿設されただけであったため、例えば、路床側の土が透水性を有する土である場合などには、地下構造物内の溜水が機外に排出されないだけでなく、排水孔の路床側から地下構造物内に路床中の水が逆に流入してしまう場合があった。
【０００８】
また、特許文献２に開示される排水装置の構造は、ダイヤフラムポンプを用いることにより、従来の排水ポンプと比べて小型化・省電力化が図れ、かつメンテナンス性を向上させることが期待できるが、かかるダイヤフラムポンプが故障等するとたちまち排水能が停止してしまうため、ダイヤフラムポンプを安定駆動運転させて一定の排水能を維持するためには、依然として定期的なメンテナンス作業を欠かすことができなかった。つまり、かかる排水装置の構成では、故障により排水能が停止してしまう問題や、メンテナンス作業の負担という問題が依然として残っているのである。
【０００９】
そこで、本発明では、地下構造物の排水装置に関し、前記従来の課題を解決するもので、簡易な構成で地下構造物内の溜水を安定して排水することができる地下構造物の排水装置を提案することを目的とする。
【課題を解決するための手段】
【００１０】
本発明の解決しようとする課題は以上の如くであり、次にこの課題を解決するための手段を説明する。
【００１１】
すなわち、請求項１においては、地下構造物内の溜水を地下構造物外に排出する地下構造物の排水装置において、地下構造物の側壁に穿設された貫通孔に嵌設され、開口端部を地下構造物の外部に向けて横方向に配設される横管部と、前記横管部と内部連通状に連続され、開口端部を地下構造物の下方に向けて縦方向に配設される縦管部と、前記縦管部の開口端部に設けられ、該開口端部を閉止するとともに、地下構造物内の溜水の水位が上昇すると該開口端部を開放する逆止弁機構と、前記横管部の開口端部に配設される水の濾過部材と、を具備してなるものである。
【００１２】
請求項２においては、前記逆止弁機構は、前記縦管部の外部空間と内部空間とを連通する流入孔が穿設された弁座部と、前記弁座部の流入孔に上下移動可能に挿通されるガイド部と、前記ガイド部の前記縦管部内へ突出する側の端部に設けられる弁部と、を有し、前記弁座部に前記弁部が当接して前記流入孔が閉止され、前記ガイド部と連動して前記弁部が上動することで、前記弁座部より前記弁部が離間して前記流入孔が開放されるものである。
【００１３】
請求項３においては、前記ガイド部は、一部又は全部が浮力部材より形成されるものである。
【発明の効果】
【００１５】
本発明の効果として、簡易な構成で地下構造物内の溜水を安定して排水することができる。
【図面の簡単な説明】
【００１６】
【図１】本発明の一実施例に係る排水装置が用いられる地下構造物の構成を示した図である。
【図２】本発明の一実施例に係る排水装置の全体的な構成を示した側面図である。
【図３】排水装置の断面図である。
【図４】図３におけるＡ−Ａ矢視図である。
【図５】逆止弁機構閉止時の断面図である。
【図６】逆止弁機構開放時の断面図である。
【図７】逆止弁機構最大開放時の断面図である。
【発明を実施するための形態】
【００１７】
次に、発明を実施するための形態を説明する。
【００１８】
まず、本実施例の排水装置１の全体構成について、以下に概説する。
図１に示すように、本実施例の排水装置１が用いられる地下構造物１００としては、動力用や通信用の各種の配線類を地中に埋設させるための地下構造物群のうち、地下埋設ボックス１０２内にて配線類の引入れ・引抜き・接続の作業をするために作業員が地上から出入りするための人孔（マンホール）に設置されて用いられるものであり、主に、地下構造物１００内の溜水が地表面Ｇの道路や歩道上に流出（オーバーフロー）するのを防止するために用いられる。
【００１９】
本実施例の地下構造物群としては、地表面Ｇの地中に内部に配線類が敷設された管渠１０１が設置され、管渠１０１の中途部であって所定離間ごとに地下埋設ボックス１０２・１０２・・・が配設される。そして、各地下埋設ボックス１０２の上部に地表面Ｇに開口するマンホール（地下構造物１００）が接続されて、マンホール（地下構造物１００）より作業員が地上より地下埋設ボックス１０２内に出入り可能とされている。
【００２０】
図２及び図３に示すように、本実施例の排水装置１は、上述した地下構造物１００の側壁１００ａに穿設された貫通孔１００ｂに嵌設され、外開口端部１０ａを地下構造物１００の外部に向けて横方向に配設される横管部１０と、横管部１０と内部連通状に連続され、下開口端部１１ａを地下構造物１００の下方に向けて縦方向に配設される縦管部１１と、縦管部１１の下開口端部１１ａに設けられ、下開口端部１１ａを閉止するとともに、地下構造物１００内の溜水の水位が上昇すると下開口端部１１ａを開放する逆止弁機構２とで構成されている。
【００２１】
本実施例の排水装置１は、内部中空の管状部材である横管部１０と縦管部１１とが一体的に接続されて、横管部１０及び縦管部１１が内部連通状に連続されている。そして、排水装置１は、横管部１０が地下構造物１００の側壁１００ａに穿設された貫通孔１００ｂに嵌設された状態で地下構造物１００に設置され、かかる状態で、横管部１０が地下構造物１００に対して横方向に配設され、縦管部１１が地下構造物１００に対して縦方向に配設される。
【００２２】
横管部１０は、両端部が開口された直線状の管状部材であって、排水装置１が地下構造物１００に設置された状態で、地下構造物１００の外部（側壁１００ａの外側の外部空間）に向けて開口される外開口端部１０ａと、地下構造物１００の内部（側壁１００ａの内側の内部空間）に向けて開口される内開口端部１０ｂが形成されている。このように排水装置１は、外開口端部１０ａを地下構造物１００の外部に向け、内開口端部１０ｂを地下構造物１００の内部に向けて設置されている。
【００２３】
外開口端部１０ａには、開口部を塞ぐようにして濾過部材１２が配設されている。濾過部材１２は、後述するように外開口端部１０ａを介して機外に排水される横管部１０内の水を濾過する機能を有する部材より構成され、例えば、球状の自然石や、球状の多孔質セラミック又はプラスチックや、ポリエステルやポリプロピレン等の化学繊維をシート状に形成したシート状のフィルタなどが用いられる。本実施例の濾過部材１２では、濾材として球状の多孔質セラミックスが用いられ、これをネット状袋体に収容させたものが用いられている。
【００２４】
内開口端部１０ｂには、キャップ部材１３が着脱可能に取り付けられており、このキャップ部材１３により内開口端部１０ｂが閉止されている。本実施例のキャップ部材１３には、内開口端部１０ｂの内部方向に面する端面に長尺棒状の押込部材１３ａが突設されている。押込部材１３ａは、内開口端部１０ｂにキャップ部材１３を取り付ける際に横管部１０の内部に挿入され、キャップ部材１３が取り付けられた状態で外開口端部１０ａの方向に向けて延出される。この押込部材１３ａにより、例えば、内開口端部１０ｂより横管部１０内に挿入した濾過部材１２を押圧して外開口端部１０ａの方向に移動させることができ、また、外開口端部１０ａに配設された濾過部材１２を押圧して横管部１０内で位置変動しないように固定させることができる。
【００２５】
横管部１０の外側面には、所定箇所（本実施例では２か所）に止水部材１４が取り付けられている。止水部材１４により、地下構造物１００の側壁１００ａに穿設された貫通孔１００ｂに横管部１０が挿入された状態で、貫通孔１００ｂの内壁と横管部１０の外側面との離間がシールされる。止水部材１４としては、水膨張ゴムなどの可撓性の部材より構成される。特に、止水材１４として水膨張ゴムを用いることで、ゴム弾性によるシールに加え、自己体積膨張により空隙を自己充填することによる二重止水により、優れた止水効果が期待できるため好ましい。
【００２６】
縦管部１１は、両端部が開口された直線状の管状部材であって、横管部１０の内開口端部１０ｂ近傍位置に接続されて、横管部１０と内部連通状に連続されている。本実施例の縦管部１１は、排水装置１が地下構造物１００に設置された状態で、地下構造物１００の内部側に位置され、地下構造物１００の下方に向けて開口される下開口端部１１ａが形成されている。このように排水装置１は、地下構造物１００に設置された状態では、横管部１０の外開口端部１１ａ及び縦管部１１の下開口端部１１ａを介して、地下構造物１００の内部空間と外部空間とが連通されている。
【００２７】
次に、逆止弁機構２の構成について、以下に詳述する。
図３乃至図５に示すように、逆止弁機構２は、上述した縦管部１１の下開口端部１１ａに設けられ、下開口端部１１ａを閉止するとともに、地下構造物１００内の水位が上昇すると下開口端部１１ａを開放するように構成されており、具体的には、下開口端部１１ａに着脱可能に取り付けられるキャップ部材２０と、縦管部１１の外部空間と内部空間とを連通する流入孔２１ｂが穿設された弁座部２１と、弁座部２１の流入孔２１ｂに上下移動可能に挿通されるガイド部２２と、ガイド部２２の縦管部１１内へ突出する側の端部に設けられる弁部２３等とで構成されている。
【００２８】
キャップ部材２０は、縦管部１１の下開口端部１１ａに着脱可能に取り付けられ、このキャップ部材２０に上述した弁座部２１、ガイド部２２及び弁部２３が支持されている。キャップ部材２０は、薄円板状の基台部２０ａと、基台部２０ａの下開口端部１１ａの内部方向に面する端面に立設される立壁部２０ｂと、基台部２０ａの下開口端部１１ａの外部方向に面する端面に立設される操作片部２０ｃ等とで構成されている。
【００２９】
基台部２０ａには、中心部に縦管部１１の外部空間と内部空間とを連通する円形の貫通孔２０ｄが穿設され、貫通孔２０ｄに後述するガイド部２２が上下移動可能に挿通される。貫通孔２０ｄは、内径がガイド部２２の内径よりも大きくなるように形成されており、貫通孔２０ｄにガイド部２２が挿通された状態で、貫通孔２０ｄの内側面とガイド部２２の外側面との間に離間が形成されている。かかる離間が形成されることにより、貫通孔２０ｄにガイド部２２が挿通された状態で、ガイド部２２が貫通孔２０ｄ内を上下移動可能となるだけでなく、後述するように離間を介して地下構造物１００内の溜水が縦管部１１の内部に流入可能とされている。
【００３０】
また、立壁部２０ｂは外側面にネジ切り部が螺刻されており、下開口端部１１ａに挿設される取付部材１１ｂの内側面に螺刻されたネジ切り部と螺合されることで、かかる取付部材１１ｂを介してキャップ部材２０が下開口端部１１ａに着脱可能に取り付けられる。また、操作片部２０ｃは、キャップ部材２０を着脱させる際に作業者により把持される片部である。
【００３１】
このように、本実施例の排水装置１では、逆止弁機構２において、縦管部１１の下開口端部１１ａに着脱可能に取り付けられるキャップ部材２０に上述した弁座部２１、ガイド部２２及び弁部２３が構成されているため、キャップ部材２０を着脱させることで、縦管部１１に対して逆止弁機構２を着脱させることができ、逆止弁機構２を容易にメンテナンスすることができる。
【００３２】
弁座部２１は、薄円板状の部材に形成され、上述したキャップ部材２０の立壁部２０ｂの端部に取り付けられる。弁座部２１は、一方の表面に水平面状の当接面２１ａが形成され、かかる当接面２１ａが下開口端部１１ａの内部方向に向くようにしてキャップ部材２０に取り付けられる。また、弁座部２１には、中心部に縦管部１１の外部空間と内部空間とを連通する円形の流入孔２１ｂが穿設されている。この流入孔２１ｂは、上述したキャップ部材２０の基台部２０ａに形成される貫通孔２０ｄと同軸上に位置するように形成され、後述するガイド部２２が上下移動可能に挿通される。
【００３３】
流入孔２１ｂは、内径がガイド部２２の内径よりも大きくなるように形成されており、流入孔２１ｂにガイド部２２が挿通された状態で、流入孔２１ｂの内側面とガイド部２２の外側面との間に離間が形成されている。かかる離間が形成されることにより、流入孔２１ｂにガイド部２２が挿通された状態で、ガイド部２２が流入孔２１ｂ内を上下移動可能となるだけでなく、後述するように離間を介して地下構造物１００内の溜水が縦管部１１の内部に流入可能とされているのである。
【００３４】
なお、貫通孔２０ｄ及び流入孔２１ｂは、ガイド部材２２との離間距離が逆止弁機構２の排水能力を損なわず、ガイド部材２２を安定して上下移動させることができるように好適に設計される。すなわち、ガイド部材２２との離間距離が短い（貫通孔２０ｄ及び流入孔２１ｂの開口面積が小さい）と地下構造物１００内の溜水の排水能力が低減し、一方で離間距離が長い（貫通孔２０ｄ及び流入孔２１ｂの開口面積が大きい）とガイド部材２２の上下移動が安定しないからである。
【００３５】
ガイド部２２は、断面円形の長尺棒状の部材より形成され、キャップ部材２０（基台部２０ａ）の貫通孔２０ｄ及び弁座部２１の流入孔２１ｂにそれぞれ上下移動可能に挿通されている。ガイド部２２は、弁座部２１の流入孔２１ｂより縦管部１１内へ突出する側の端部に後述する弁部２３が設けられ、他方、キャップ部材２０（基台部２０ａ）の貫通孔２０ｄより縦管部１１外へ突出する側の端部に掛止部材２４が設けられている。
【００３６】
ガイド部２２は、後述するように地下構造物１００内の溜水により浮力を受けて上動されるように、一部又は全部が水より比重が軽い浮力部材２５より形成される。本実施例のガイド部２２は、内部中空の管状部材により形成されており、かかる内部中空に浮力部材２５が埋設されている。浮力部材２５としては、例えば、汎用の発泡ポリウレタン材や独立気泡のスポンジ材などが用いられる。
【００３７】
弁部２３は、縦管部１１の内径より径方向長さの小さい薄円板状に形成されており、中心部にてガイド部２２の端部と接続されている。弁部２３は、下開口端部１１ａの外部方向の表面に水平面状の当接面２３ａが形成され、かかる当接面２３ａが弁座部２１の当接面２１ａと対向位置にあるように配設されている。弁部２３は、当接面２３ａが弁座部２１の当接面２１ａと密着して当接可能に形成されており、後述するように、弁座部２１の当接面２１ａに弁部２３の当接面２３ａが当接されることで、弁部２３の当接面２３ａにより弁座部２１の流入孔２１ｂが閉止されて、下開口端部１１ａが閉止される。
【００３８】
掛止部材２４は、ガイド部２２の端部の外側面より径方向に突設されて、ガイド部２２が上動された際に、かかる掛止部材２４がキャップ部材２０の基台部２０ａに当接することで、ガイド部２２が掛止される（図７参照）。
【００３９】
弁部２３は、ガイド部２２の端部に接続されることで、ガイド部２２と一体的に連動して上下動され、本実施例では、自重により下動されるとともに、地下構造物１００内の溜水により浮力を受けて上動される。弁部２３の最下動位置は、弁座部２１の当接面２１ａに弁部２３の当接面２３ａが当接されることで規制され（図５参照）、一方、弁部２３の最上動位置は、ガイド部２２の掛止部材２４がキャップ部材２０の基台部２０ａに当接されることで規制される（図７参照）。
【００４０】
ここで、図５乃至図７を用いて逆止弁機構２の動作について、以下に詳述する。
図５に示したように、地下構造物１００内に溜水がないか、あるいは地下構造物１００内の溜水の水位が排水装置１の設置位置よりも低い場合には、弁部２３が最下動位置にあり、弁座部２１に弁部２３が当接して流入孔２１ｂが閉止されて、縦管部１１の下開口端部１１ａが閉止されている。かかる状態では、排水装置１において地下構造物１００の内部空間と外部空間とが遮断され、例えば、外開口端部１０ａより横管部１０内に機外の水が流入しても、かかる水が縦管部１１の下開口端部１１ａより地下構造物１００内に排出されることがない。
【００４１】
図６に示すように、地表面Ｇから地下構造物１００内に水が流入して貯溜されていき、地下構造物１００内の溜水の水位が上昇して排水装置１の設置位置（逆止弁機構２の配設位置）に到達すると、かかる溜水によりガイド部２２に浮力が発生して、ガイド部２２及び弁部２３が上動され始める。弁部２３が最下動位置より上動されることで、弁座部２１より弁部２３が離間して流入孔２１ｂが解放されて、縦管部１１の下開口端部１１ａが解放される。かかる状態では、地下構造物１００内の溜水がキャップ部材２０の貫通孔２０ｄ及び弁座部２１の流入孔２１ｂを介して排水装置１（縦管部１１）内に流入される。
【００４２】
そして、図７に示すように、地下構造物１００内の溜水の水位がさらに上昇すると、やがて、ガイド部２２の掛止部材２４がキャップ部材２０の基台部２０ａに当接されて弁部２３の最上動位置が規制され、ガイド部２２及び弁部２３の上動が停止される。かかる状態では、排水装置１内に流入した水は、縦管部１１より横管部１０に流入し、横管部１０の外開口端部１０ａより機外に排出される。
【００４３】
以上のように、本実施例の排水装置１は、地下構造物１００内の溜水を地下構造物外に排出する地下構造物の排水装置１において、地下構造物１００の側壁１００ａに穿設された貫通孔１００ｂに嵌設され、外開口端部１０ａを地下構造物１００の外部に向けて横方向に配設される横管部１０と、横管部１０と内部連通状に連続され、下開口端部１１ａを地下構造物１００の下方に向けて縦方向に配設される縦管部１１と、縦管部１１の下開口端部１１ａに設けられ、下開口端部１１ａを閉止するとともに、地下構造物１００内の溜水の水位が上昇すると下開口端部１１ａを開放する逆止弁機構２と、を具備してなるものであるため、簡易な構成で地下構造物内の溜水を安定して排水することができる。
【００４４】
すなわち、本実施例の排水装置１は、地下構造物１００の側壁１００ａに穿設された貫通孔１００ｂに嵌設させて地下構造物１００内の溜水を機外に排出させるために用いられるものであり、地下構造物１００内の溜水を縦管部１１の下開口端部１１ａを介して排水装置１内に取り込み、これを横管部１０の外開口端部１０ａを介して安定して機外に排出することができる。また、側壁１００ａへ嵌設させるだけで設置することができ、取付作業が容易である。そして、下開口端部１１ａを閉止するとともに、地下構造物１００内の溜水の水位が上昇すると下開口端部１１ａを開放する逆止弁機構２を有するため、例えば、路床側の土が透水性を有する土である場合などであっても、地下構造物１００内に機外の水が逆に流入してしまうのを防止できる。
【００４５】
また、本実施例の排水装置１では、逆止弁機構２は、縦管部１１の外部空間と内部空間とを連通する流入孔２１ｂが穿設された弁座部２１と、弁座部２１の流入孔２１ｂに上下移動可能に挿通されるガイド部２２と、ガイド部２２の縦管部１１内へ突出する側の端部に設けられる弁部２３と、を有し、弁座部２１に弁部２３が当接して流入孔２１ｂが閉止され、ガイド部２２と連動して弁部２３が上動することで、弁座部２１より弁部２３が離間して流入孔２１ｂが開放されるように構成されるため、従来の排水装置のように、排水ポンプ等の駆動源を用いることなく簡易な構成でメンテナンス作業の負担を軽減し、地下構造物１００内の溜水を安定して排水することができる。
【００４６】
特に、弁座部２１の流入孔２１ｂに挿通されたガイド部２２に弁部２３を接続し、弁部２３をガイド部２２と連動して上下動させるように構成しているため、弁座部２１に対してガイド部２２にガイドされながら弁部２３を安定して上下動させることができ、弁座部２１の流入孔２１ｂの開閉を確実にすることができる。
【００４７】
また、本実施例の排水装置１は、ガイド部２２が一部又は全部が浮力部材２５より形成されるため、ガイド部２２により大きな浮力を発生させることができ、地下構造物１００内の溜水の水位の上昇に伴って弁部２３を確実に上動させて、流入孔２１ｂを確実に開放することができる。
【００４８】
また、本実施例の排水装置１は、横管部１０の外開口端部１０ａに水の濾過部材１２が配設されるため、地下構造物１００内の溜水に含まれるゴミ等の不純物を濾過部材１２により濾過した後に機外に排水させて、機外の自然環境を保護することができるとともに、一方で、機外の水に含まれる溜水が濾過部材１２により濾過された後に横管部１０内に流入されるため、かかる水に含まれるゴミ等の不純物による逆止弁機構２の動作不良を防止できる。
【００４９】
なお、排水装置１の構成としては、上述した実施例に限定されず、本発明の目的を逸脱しない限りにおいて種々の変更が可能である。
【００５０】
すなわち、上述した実施例の排水装置１は、動力用や通信用の各種の配線類を地中に埋設させるための地下構造物群のうち、マンホールに設置されて、かかるマンホール内の溜水が地表面Ｇの道路や歩道上に流出（オーバーフロー）するのを防止するために用いられるものであるが、排水装置１を設置可能な地下構造物１００の構造はこれに限定されない。例えば、開渠や暗渠、地下埋設物（地下埋設ボックス）など地下に配設される構造物であればよく、開渠や暗渠、地下埋設物などにおいて底面近傍の下方位置に設置して、かかる地下構造物１００内での溜水の発生を防止するために用いてもよい。
【００５１】
また、上述した実施例の排水装置１では、横管部１０及び縦管部１１が一体的に接続されて、横管部１０及び縦管部１１が内部連通状に連続された構成について説明したが（図３参照）、横管部１０及び縦管部１１の構成はこれに限定されず、例えば、排水装置１において一連に連続された一の管状部材が屈曲等されて横管部１０及び縦管部１１が形成されてもよい。
【符号の説明】
【００５２】
１        排水装置
２        逆止弁機構
１０      横管部
１０ａ    外開口端部（開口端部）
１０ｂ    内開口端部
１１      縦管部
１１ａ    下開口端部（開口端部）
１２      濾過部材
１３      キャップ部材
１４      止水部材
２０      キャップ部材
２０ａ    基台部
２０ｂ    立壁部
２０ｃ    操作片部
２０ｄ    貫通孔
２１      弁座部
２１ａ    当接面
２１ｂ    流入孔
２２      ガイド部
２３      弁部
２３ａ    当接面
２４      掛止部材
２５      浮力部材
１００    地下構造物
１００ａ  側壁
１００ｂ  管通孔
１０１    管渠
１０２    地下埋設ボックス
【図１】
0005555658.tif 000002
【図２】
0005555658.tif 000003
【図３】
0005555658.tif 000004
【図４】
0005555658.tif 000005
【図５】
0005555658.tif 000006
【図６】
0005555658.tif 000007
【図７】
0005555658.tif 000008